(57)【特許請求の範囲】
【請求項１】
個人的衛生装置を有して使用される、流体に対する可撓性の容器であって、
可撓性の袋を有し、
該可撓性の袋は、前面パネル部分と後面パネル部分とを備え且つ流体に対する内側体積を定義付けるよう下端部に沿って密封され、更には各長手方向端部に沿ったガセットを備え、該ガセットは、前記前面パネル部分及び前記後面パネル部分を接続し、前記袋が充填される際に前記前面パネル部分及び前記後面パネル部分が互いに対して離れて拡張することを可能とし、
前記袋は、該袋の上端部で中心部分の両側上に密封された翼状部分を有し、
前記中心部分は、充填された後に前記容器から流体を吐出させ得るよう構成される噴出口構造要素を有し、
前記翼状部分は、前記袋の前記中心部分の上部において延在し、実質的に前記噴出構造要素の上端部の平面において終了し、
前記翼状部分は、前記噴出口構造要素から離れて前記中心部分まで延在する内側側部を有し、
前記翼状部分は各々、前記ガセットの上方において延び且つ前記袋の前記内側体積と流体連通する開放部を有し、該開放部は、当該容器の対向する側端部の部分から始まるよう位置決めされ、当該容器の幅よりも小さい距離にわたって前記側端部から延在し、前記翼状部分の残りの部分は、前記中心部分に対して密封され、
前記開放部の各々は、前記翼状部分の密封された残りの部分と実質的に同等である幅を有し、該開放部は、前記ガセットを完全に拡張し得、前記袋が完全に充填されるようにする、
容器。
【請求項２】
前記個人的衛生装置は、電動歯ブラシである、
請求項１記載の容器。
【請求項３】
前記噴出口構造要素は、流体の出口用のバルブを有する、
請求項１記載の容器。
【発明の詳細な説明】
【技術分野】
【０００１】
本発明は全体的に、流体を分注する歯ブラシ等の個人的衛生装置に使用され得る流体に対する容器に係り、より明確には、衛生装置における特定の空間に対して適合し得る可撓性の構造を有する小袋容器に関係する。
【背景技術】
【０００２】
容器、即ち袋又は小袋は、ひげそり器等の流体を分注するパーソナルケア器具において流体を運ぶための入れ物としての使用が周知である。容器は、一般的には管又はカートリッジの形状であり、歯ブラシ用の流体を運ぶようにも使用される。しかしながら、典型的には、かかる容器は全て、流体の充填／吐出部材又は噴出口がそこから延びるまっすぐな上端部と、特有の長さ、幅、及び奥行きを有する定義済みの体積形態とを有する特定の形態を有する。
【０００３】
かかる容器が可撓性の材料から作られることが既知である一方、典型的には、配置は、袋が充填中に拡張しないが、空又は満杯の際におおむね類似した形及び形態を有するようにされる。かかる配置は、袋の容量が装置内の限定された又は通常ではない形状の空間へと適合することを制限し、一方で充填される際に最大限に可能な体積を保持する。パーソナルケア器具において、流体容器袋が使用可能な空間は、通常は非常に制限されるか、及び／又は、通常ではない形態を有する。
【発明の開示】
【発明が解決しようとする課題】
【０００４】
故に、個人的衛生装置に対する流体を運ぶ袋は、衛生装置内で近い又は不規則な空間へと適合する可能性を有することが望ましい。
【課題を解決するための手段】
【０００５】
従って、本発明は、そのひとつの面において、個人的衛生装置と共に使用する流体用の可撓性の容器である。該容器は、前面パネル部分と後面パネル部分とを有し、更に、その前面パネル部分と後面パネル部分とを接続する長手方向の少なくとも一側に沿ってガセットを有する。これにより、袋が充填される際に前面パネル部分と後面パネル部分とが互いに対して離れて拡張することが可能となり、袋は、袋から流体が吐出することができるよう噴出口構造要素に対して密封された上端部を有する。
【０００６】
他の面では、本発明は、流体用の可撓性の容器を有し、個人的衛生装置と共に使用される。該容器は、前面パネル部分と後面パネル部分とを有し、下端部に沿って密封される可撓性の袋を有する。該袋は、その上端部で下方の中心部分のいずれかの一側上に２つの密封された翼状部分を有する。該翼状部分は、袋の残りの部分の上方で延び、袋の残りの部分が完全に充填されることを可能とする。
【発明を実施するための最良の形態】
【０００７】
図１を参照すると、本発明の小袋／容器１０は、個人的衛生装置用の流体を運ぶものであり、前面部分及び後面部分１２，１４を有する。図示された実施例では前面及び後面部分は薄いプラスチック又は金属のフィルム等の可撓性の材料から作られ、下端部１６に沿って密封される。図示された実施例では、小袋１０は、ラミネートの単一シートから作られているが、これは必須ではない。
【０００８】
上端部１８は、密封されているが、変則的、即ち不ぞろいな形態を有し、２つの側方翼状部分２０及び２２、下方中心部２４を有する。中心部分２４において、前面及び後面部分の中間物である噴出口構造要素２６が位置付けられる。前面及び後面部分１２及び１４は、噴出口２６の下方部分２８の対向する側に密封され、噴出口２６は前面部分及び後面部分に対して完全に密封される。噴出口２６は、小袋１０の内部へと延びて通じる中央開口部２９を有する。噴出口中央開口部２９内には、流体ポンプに接続するよう適合されたバルブ３１があり、該ポンプは、使用中に小袋内にある流体を小袋から管等の接続構造要素へ、続いて、ひげそり器ヘッド部又は歯ブラシ等の製品へと動かす。
【０００９】
上述の構造要素、明確には製品及び接続構造要素は、本発明の一部を形成しないため、また、かかる構造要素の幅広い種類が図示及び説明された特定の小袋と共に使用され得るため、詳細に図示又は記載されない。
【００１０】
側方翼状部分２０及び２２は、図示された実施例において、そのいずれか一側上の中心部分２４の上方で噴出口構造要素２６の上部３１の僅かに上方である点に延びる。各側方翼状部分２０，２２は、その上端部３０及び内側側端部３２の下方で密封され、そこで上述された通り噴出口に密封された中心部分２４に合う。従って、上端部１８は、容器１０にわたって完全に流体密封される。各側方翼状部分の密封された部分は、約０．６ｃｍの幅であり、噴出口２６に対する中心部分２４の密封部の幅に類似する。従って、小袋１０の上端部１８は、小袋１０の端部から端部へと延びる封を有し、その上部に流体密封を与える。各側方翼状部分は、前面及び後面部分が共に密封されていない小さな残りの部分を有する。これらの部分２３，２５は、約６ｃｍの夫々の長手方向の側端部から内側に延び、小袋の内側体積に対して開放している。
【００１１】
小袋１０の側端部３６及び３８は、長手方向のガセット４０を有して形成される。ガセット４０は、例えば、下端部１６から側端部を上方へ、（側端部３８まで外側に延びる）側方翼状部分の下方端部２７へと延びる。側方翼状部分の開放部２３，２５によって、各ガセットは、小袋の長さにわたって最大効果まで（下端部１６から側方翼状部分の下方端部２７まで）開放されることが可能である。ガセットの構造は、小袋が充填されていない際に充填されていない小袋を略平坦にすることができ、小袋が流体で事前に充填される際は全奥行きまで拡張することができるため、有利である。図示された実施例では、これは約１５ｍＬである。この配置によって、充填された小袋は、変則的な形態を容易にとることができ、小袋が個人的衛生装置内に置かれた変則的な体積に適合させる。
【００１２】
側方翼状部分の開放（密封されていない）部２３，２５は、小袋の充填に関し、小袋の各側部上のガセット４０の最大効果が現れるようにする。図示された実施例では、充填された小袋は厚さ約１０ｍｍ、即ちガセット４０は幅約１０ｍｍ（各５ｍｍの２枚シート）である。当然のことながら、異なる幅を有するガセットは使用され得る。
【００１３】
使用時には、小袋は、個人的衛生装置におけるポンプ上に簡単に適合される。小袋が空である際、複数回の使用後、古い小袋は簡単に取り外され、新しい小袋が付けられる。小袋は、流体の複数の（２８回まで）個別の使用の体積を保持するよう設計される。一例としては、容器は、１５ｍＬの流体の容量を有する。歯ブラシの場合、流体そのものは、歯周病等の特定の口腔疾患を治療するよう細菌用薬剤を有する従来及び医療用いずれの多種の歯磨剤であり得る。又は、ひげそり器の場合は、何らかの手法で肌に対するひげそり機能又は処置の助けとなる流体であり得る。
【００１４】
従って、小袋は、充填された容器が効果的且つ実際的な手法で多種の空間に適合することを可能にする特定の構造的形態を有する。
【００１５】
本発明の望ましい実施例が例示の目的で開示されてきたが、添付の請求項によって定義付けられた本発明の趣旨から逸脱することなく、多種の変更、置換、及び修正が実施例に組み込まれ得ることが理解されるべきである。
【図面の簡単な説明】
【００１６】
【図１】本発明の小袋の等角図である。
【図２】図１中の小袋の上面図である。
【図３Ａ】充填されていない際の小袋の側部ガセット構造を図示する側面図である。
【図３Ｂ】充填されている際の小袋の側部ガセット構造を図示する側面図である。
【図１】
0004714683.tif 000002
【図２】
0004714683.tif 000003
【図３Ａ】
0004714683.tif 000004
【図３Ｂ】
0004714683.tif 000005